(57)【要約】【課題】生産効率を低下させることなく高品質に板状素材を成形することができるプレス装置を提供すること。【解決手段】プレス装置１０は、上型１１にスライド可能に保持された吊りカム２０と、下型４０に回転可能に保持された回転カム５０と、下型４０にスライド可能に保持されて回転カム５０の回転を規制する回転規制部材６０とを備えている。回転カム５０は、成形対象となる板状素材Ｗを支持する支持部５１ａを有している。吊りカム２０は、支持部１ａに支持された板状素材Ｗを成形する成形部２０ａを有している。回転規制部材６０は、回転カム５０に当接可能な当接板６３を有している。そして、吊りカム２０により回転規制部材６０を押圧してスライドさせることにより、当接板６３を回転カム５０に当接させて、板状素材Ｗの成形中に回転カム５０の回転を禁止する。【選択図】図１
2010207891.tif 000002
【特許請求の範囲】
【請求項１】
上型にスライド可能に保持された吊りカムと、下型に回転可能に保持された回転カムと、下型にスライド可能に保持されて前記回転カムの回転を規制する回転規制部材とを備え、
前記回転カムは、成形対象となる板状素材を支持する支持部を有し、
前記吊りカムは、前記支持部に支持された板状素材を成形する成形部を有し、
前記回転規制部材は、前記回転カムに当接可能な当接部を有し、前記吊りカムに押圧されてスライドすることにより、前記当接部を前記回転カムに当接させて、前記板状素材の成形中に前記回転カムの回転を禁止する
ことを特徴とするプレス装置。
【請求項２】
請求項１に記載するプレス装置において、
前記当接部は、平面形状をなし、
前記回転カムは、前記当接部に当接可能な平面形状の被当接部を有し、
前記当接部と前記被当接部とは、面接触して当接する
ことを特徴とするプレス装置。
【請求項３】
請求項１又は請求項２に記載するプレス装置において、
前記回転規制部材は、複数設けられている
ことを特徴とするプレス装置。
【請求項４】
請求項１〜請求項３のいずれか一項に記載するプレス装置において、
前記回転カムは、前記吊りカムを成形位置へ案内するガイド溝を有し、
前記吊りカムは、前記ガイド溝に対してスライド可能な第１スライド板を有している
ことを特徴とするプレス装置。
【請求項５】
請求項１〜請求項４のいずれか一項に記載するプレス装置において、
前記吊りカムは、前記下型に対してスライド可能な第２スライド板を有している
ことを特徴とするプレス装置。
【請求項６】
請求項１〜請求項５のいずれか一項に記載するプレス装置において、
前記回転カムを回転させる回転手段と、
前記回転カムの回転角度を、成形位置を越えない範囲に制限する角度制限手段とを有している
ことを特徴とするプレス装置。
【請求項７】
請求項１〜請求項６のいずれか一項に記載するプレス装置において、
前記回転規制部材を、板状素材の成形後に初期位置へ戻す第１復帰手段を有している
ことを特徴とするプレス装置。
【請求項８】
請求項１〜請求項７のいずれか一項に記載するプレス装置において、
前記吊りカムを、板状素材の成形後に初期位置へ戻す第２復帰手段を有している
ことを特徴とするプレス装置。
【発明の詳細な説明】
【技術分野】
【０００１】
本発明は、回転カムを用いて板状素材の成形を行うプレス装置に関する。
【背景技術】
【０００２】
近年、例えば車両のアウター部品に用いられるパネル等には、品質の向上や形状の多様化が求められている。こうした要求を満たすため、パネルの成形を行うプレス装置には、回転カムが使用されることが多い。これは、回転カムを使用することにより、成形後にパネルの取り外しが困難となる負角部の加工等を容易に行うことができるからである。なお、本明細書において、負角部とは、成形後にカム等の成形用部材がパネルの内側に入り込むパネルの成形部位をいうものとする。
【０００３】
例えば、図９に示すプレス装置１００では、昇降可能な上型１０１に吊りカム１０２がスライド可能に設けられ、下型１０３のカム溝に回転カム１０４が回転可能に配置されている。吊りカム１０２には、パネルＷを成形するための成形部１０２ａが設けられている。回転カム１０４には、吊りカム１０２の成形部１０２ａを挿入可能なＵ字溝１０４ａが形成されている。このＵ字溝１０４ａの一方面には、下型１０３に当接して成形位置を決定するとともに吊りカム１０２を成形位置までガイドするスライド板１０５が設けられている。Ｕ字溝１０４ａの他方面には、パネルＷの先端を内側から支持する支持部１０６が形成されている。
【０００４】
そして、上型１０１の下降により吊りカム１０２がスライド板１０５に沿ってＵ字溝１０４ａに挿入されると、吊りカム１０２の成形部１０２ａがパネルＷの先端を回転カム１０４の支持部１０６へ押し付けて負角部Ｗａが成形されるようになっている。また、成形後には、図１０に示すように、上型１０１の上昇により吊りカム１０２がＵ字溝１０４ａから退出して、回転カム１０４が戻り方向（図１０において右回り）へ回転することにより、支持部１０６が負角部Ｗａから外れるようになっている。これにより、負角部Ｗａの成形後に、パネルＷを回転カム１０４と干渉させることなく容易に取り出すことができる。
【０００５】
ここで、パネルＷの加工中に回転カム１０４が回転すると、パネルＷに成形不良が生じるおそれがあった。これを防止するために、吊りカム１０２の軌道を規制することにより、スライド板１０５が下型１０３から離れるのを防止して、回転カム１０４の戻り回転を防止することが行われている（特許文献１）。このように、パネルＷの成形中に回転カム１０４が成形位置から戻るのを防止することで、パネルＷの成形不良を防止することができる。
【先行技術文献】
【特許文献】
【０００６】
【特許文献１】特開平７−１５５８４７号公報
【発明の概要】
【発明が解決しようとする課題】
【０００７】
しかしながら、上記に記載の技術には次のような問題点があった。
上記技術によると、回転カム１０４の成形位置への位置決めが、スライド板１０５を下型１０３へ当接させることにより行われている。このため、スライド板１０５をある程度長めに設計する必要があった。ところが、スライド板１０５を長く設計した場合には、図１０に示すように、スライド板１０５が吊りカム１０２と干渉しやすくなるため、上型１０１をかなり上方まで上昇させなければ、吊りカム１０２とスライド板１０５とを引き離せなかった。その結果、パネルＷの取出開始までに回転カム１０４が十分戻りきらず、パネルＷの取出時にパネルＷと回転カム１０４とが干渉するおそれがあった。なお、この干渉を避けるためにパネルＷの取出開始時期を遅らせることもできるが、この場合には、生産効率を低下させるという問題があった。
【０００８】
また、一般にパネル成形では、複数部位を同時に成形することが行われている。しかしながら、回転カム１０４の戻りが遅れることで、他の成形部位Ｗｂの取り外しタイミングとの調整が困難となっていた。例えば、負角部Ｗａが回転カム１０２と干渉したまま他の成形部位Ｗｂを取り外そうとした場合には、パネルＷの変形を招くおそれがあった。
【０００９】
そこで、本発明は、上記した問題点を解決するためになされたものであり、生産効率を低下させることなく高品質に板状素材を成形することができるプレス装置を提供することを課題とする。
【課題を解決するための手段】
【００１０】
上記問題点を解決するためになされた本発明に係るプレス装置は、上型にスライド可能に保持された吊りカムと、下型に回転可能に保持された回転カムと、下型にスライド可能に保持されて前記回転カムの回転を規制する回転規制部材とを備え、前記回転カムは、成形対象となる板状素材を支持する支持部を有し、前記吊りカムは、前記支持部に支持された板状素材を成形する成形部を有し、前記回転規制部材は、前記回転カムに当接可能な当接部を有し、前記吊りカムに押圧されてスライドすることにより、前記当接部を前記回転カムに当接させて、前記板状素材の成形中に前記回転カムの回転を禁止することを特徴とする。
【００１１】
本発明に係るプレス装置では、成形対象となる板状素材が、回転カムに備わる支持部により支持され、吊りカムに備わる成形部により成形される。これにより、板状素材に対して、成形後に取り外しが困難となる負角部の加工等を容易に行うことができる。また、このプレス装置では、回転規制部材が吊りカムに押圧され、回転規制部材の当接部が回転カムに当接して、板状素材の成形中に回転カムの回転が規制される。このように、板状素材の成形中に回転カムの回転を規制することにより、板状素材の成形不良を防止して、板状素材を高品質に成形することができる。さらに、このプレス装置では、回転カムの成形位置への規制が、下型にスライド可能に設けられた回転規制部材により行われる。これにより、回転カムに、従来技術で述べたスライド板（１０５）を設ける必要がない。すなわち、スライド板（１０５）と吊りカムとの干渉の問題を解消して、回転カムの戻りを早くすることができる。その結果、成形後に板状素材の取出開始時期を早めて、生産効率を高めることができる。
【００１２】
また、このプレス装置によると、回転カムの戻りを早くすることで、回転カムによる成形部位と他の成形部位との間における取り外しタイミングの調整を容易に行うことができる。これにより、板状素材の成形をより効率的に行うことができ、生産効率をより高めることができる。また、負角部が回転カムと干渉したまま他の成形部位が取り外される状況を回避できるため、取り外し時における板状素材の変形を確実に防止することができる。その結果、板状素材の成形をより高品質に行うことができる。
【００１３】
本発明に係るプレス装置において、前記当接部は、平面形状をなし、前記回転カムは、前記当接部に当接可能な平面形状の被当接部を有し、前記当接部と前記被当接部とは、面接触して当接することが望ましい。
【００１４】
このプレス装置では、当接部と被当接部とが、面接触して当接するため、回転カムの回転を容易かつ確実に禁止することがきる。その結果、板状素材を低コストでより高品質に成形することができる。
【００１５】
本発明に係るプレス装置において、前記回転規制部材は、複数設けられていることが望ましい。
【００１６】
このプレス装置では、回転規制部材を複数設けることにより、回転カムの回転をより確実に規制することができる。これにより、板状素材をより高品質に成形することができる。ところで、例えば車両のトランクなどに用いられる広範な面積を有する板状素材を成形する場合には、軸方向に長く形成された回転カムにより板状素材が支持される。この場合には、回転カムが途中で撓んで板状素材の支持が不安定になり、板状素材を高品質に成形できないおそれがある。これに対して、このプレス装置では、複数の回転規制部材の当接部を回転カムに当接させるため、回転カムの撓みをも防止することができる。その結果、広範な面積を有する板状素材を成形する場合にも、高品質に成形することができる。
【００１７】
本発明に係るプレス装置において、前記回転カムは、前記吊りカムを成形位置へ案内するガイド溝を有し、前記吊りカムは、前記ガイド溝に対してスライド可能な第１スライド板を有していることが望ましい。
【００１８】
このプレス装置では、吊りカムに備わる第１スライド板を、回転カムに備わるガイド溝に対してスライドさせることにより、吊りカムの成形部を、回転カムの支持部に支持された板状素材へと確実に導くことができる。その結果、板状素材をより高品質に成形することができる。
【００１９】
本発明に係るプレス装置において、前記吊りカムは、前記下型に対してスライド可能な第２スライド板を有していることが望ましい。
【００２０】
このプレス装置では、吊りカムに備わる第２スライド板を、下型に対してスライドさせることにより、吊りカムの成形部を、回転カムの支持部に支持された板状素材へとより確実に導くことができる。その結果、板状素材をより高品質に成形することができる。
【００２１】
本発明に係るプレス装置において、前記回転カムを回転させる回転手段と、前記回転カムの回転角度を、成形位置を越えない範囲に制限する角度制限手段とを有していることが望ましい。
【００２２】
このプレス装置では、角度制限手段により回転カムの回転角度が成形位置を越えない範囲に制限されるので、回転カムを回転手段によって容易かつ確実に成形位置へ移動させることができる。また、板状素材の成形中に、回転カムが成形位置を越えて回転するのを防止できるため、板状素材をより高品質に成形することができる。
【００２３】
本発明に係るプレス装置において、前記回転規制部材を、板状素材の成形後に初期位置へ戻す第１復帰手段を有していることが望ましい。
【００２４】
このプレス装置では、板状素材の成形後に第１復帰手段によって回転規制部材を初期位置へ戻すことにより、板状素材の成形後に速やかに回転カムの回転を許可することができる。これにより、回転カムの戻りを早めることができるため、板状素材を取り外す際、回転カムと板状素材とが干渉するのを回避することができる。その結果、板状素材の取出開始時期を早めて、生産効率をより高めることができる。
【００２５】
本発明に係るプレス装置において、前記吊りカムを、板状素材の成形後に初期位置へ戻す第２復帰手段を有していることが望ましい。
【００２６】
本発明に係るプレス装置では、板状素材の成形後に第２復帰手段によって吊りカムを初期位置へ戻すことにより、板状素材の取出時に吊りカムが板状素材や回転カムと干渉するのを防止することができる。その結果、板状素材の取出開始時期を早めて、生産効率をさらに高めることができる。
【発明の効果】
【００２７】
本発明に係るプレス装置によれば、上記した通り、生産効率を低下させることなく高品質に板状素材を成形することができる。
【図面の簡単な説明】
【００２８】
【図１】本発明の実施形態に係るプレス装置の全体構成を示す断面図である。
【図２】同プレス装置の成形対象となるパネルを示す平面図である。
【図３】同プレス装置に備わる上下スライダを示す拡大平面図である。
【図４】同プレス装置に備わる回転カムを成形位置へ回転させた状態を示す説明図である。
【図５】同プレス装置に備わる上型を下死点まで降下させた状態を示す説明図である。
【図６】同プレス装置に備わる回転カムを初期位置へ回転させた状態を示す説明図である。
【図７】同プレス装置に備わる上型を上死点まで上昇させた状態を示す説明図である。
【図８】変更例に係るプレス装置に備わる上下スライダを示す拡大平面図である。
【図９】従来例に係るプレス装置を示す断面図である。
【図１０】従来例に係るプレス装置を示す断面図である。
【発明を実施するための形態】
【００２９】
以下、本発明に係るプレス装置を具体化した好適な実施の形態について、図面に基づき詳細に説明する。
【００３０】
まず、本実施形態に係るプレス装置の全体構成について、図１〜図３を参照しながら説明する。図１は、本発明の実施形態に係るプレス装置の全体構成を示す断面図である。図２は、同プレス装置の成形対象となるパネルを示す平面図である。図３は、同プレス装置に備わる上下スライダを示す拡大平面図である。
プレス装置１０は、図１に示すように、昇降可能に設けられた上型１１と、基台（図示略）に動かないように固定された下型４０とを備えている。このプレス装置１０は、図２に示すように、車両のアウター部品に用いられる湾曲したパネルＷの、短手方向における両端部である左端部Ｗａ及び右端部Ｗｂを成形するものである。
【００３１】
上型１１は、パッド１２を上下方向へ移動可能に保持するパッド保持部１１ａと、第１の吊りカム２０を左右方向へスライド可能に保持する吊りカム保持部１１ｂと、第２の吊りカム３０を左右方向へスライド可能に保持する吊りカム保持部１１ｃとを備えている。
【００３２】
パッド１２は、上型１１のパッド保持部１１ａに固定されたサイドピン１３，１４により、上型１１に対して上下方向へ移動可能に保持されている。このパッド１２は、パネルＷの湾曲形状に応じた押さえ面１２ａを備えている。
【００３３】
第１の吊りカム２０は、パネルＷを成形するための成形部２０ａと、上型１１の吊りカム保持部１１ｂに対して左右方向へスライド可能に設けられたスライド板２１と、後述する回転カム５０のスライド面５１ｂに対してスライド可能に設けられたスライド板２２と、下型４０のスライド面４０ｂに対してスライド可能に設けられたスライド板２３と、上下スライダ６０を下方へ押圧する押圧板２４とを備えている。また、第１の吊りカム２０は、リターンスプリング２５により、初期位置（図１において吊りカム保持部１１ｂの左端）へ付勢されている。なお、本実施形態の第１の吊りカム２０が、本発明の「吊りカム」に相当し、本実施形態のリターンスプリング２５が、本発明の「第２復帰手段」に相当する。
【００３４】
第２の吊りカム３０は、パネルＷを成形するための成形部３０ａと、後述するサブリフタ４２のリフト部４２ａを押圧するために下方へ突出形成された先行押さえ部３２と、上型１１の吊りカム保持部１１ｃに対して左右方向へスライド可能に設けられたスライド板３３と、下型４０のスライド面４０ｃに対してスライド可能に設けられたスライド板３４とを備えている。また、第２の吊りカム３０は、リターンスプリング３５により、初期位置（図１において吊りカム保持部１１ｃの右端）に付勢されている。
【００３５】
下型４０は、パネルＷを下方から支持するポンチ４１と、回転カム５０を回転可能に保持するカム溝４０ａと、第１の吊りカム２０に備わるスライド板２３をスライドさせるスライド面４０ｂと、第２の吊りカムに備わるスライド板３４をスライドさせるスライド面４０ｃと、上下スライダ６０に備わるスライド板６２をスライドさせるスライド面４０ｄとを備えている。
【００３６】
ポンチ４１は、パネルＷの湾曲形状に応じた支持面４１ａと、パネルＷの右端部Ｗｂを支持可能な支持面４１ｂとを備えている。そして、パネルＷは、支持面４１ａに下方から支持された状態で、パッド１２の押さえ面１２ａにより上方から押さえられて固定されるようになっている。また、ポンチ４１の支持面４１ｂ側には、下型４０に固定されたサブリフタ４２が配置されている。このサブリフタ４２は、第２の吊りカム３０に備わる先行押さえ部３２に押圧されて下降するリフト部４２ａを備えている。このリフト部４２ａは、バネ（図示略）により初期位置（図１に示す位置）へ付勢されている。
【００３７】
回転カム５０は、全体として略円柱形状をなしており、第１の吊りカム２０を成形位置へ案内するＵ字溝５１と、上下スライダ６０の当接板６３に当接される被当接面５２とを備えている。
Ｕ字溝５１の一方面には、パネルＷの左端部Ｗａを内側から支持する支持部５１ａが形成されている。Ｕ字溝５１の他方面には、第１の吊りカム２０に備わるスライド板２２をスライドさせるスライド面５１ｂが設けられている。
被当接面５２は、回転カム５０の一部を平面で切り取った平面形状をなしている。被当接面５２の下端には、後述する上下スライダ６０の凸部６１により押圧可能なトリガ５３が、上下スライダ６０側へ突出形成されている。なお、本実施形態の被当接面５２が、本発明の「被当接部」に相当する。
【００３８】
また、回転カム５０には、回転カム５０を回転させるシリンダ５７と、回転カム５０の回転角度を成形位置を越えない範囲に制限する角度制限機構とが設けられている。
シリンダ５７は、下型４０に固定されており、左右方向へ往復可能に設けられた往復部５７ａを備えている。往復部５７ａの先端は、回転カム５０に連結されている。そして、シリンダ５７が往復部５７ａを左方向又は右方向へ移動させると、それに伴って回転カム５０が右回り又は左回りに回転する構成となっている。
【００３９】
角度制限機構は、下型４０に固定された断面四角形状の下死点ストッパ５５と、回転カム５０に設けられた断面扇形状の切欠溝５６とから構成されている。下死点ストッパ５５の一部は、切欠溝５６内に位置しており、シリンダ５７によって回転カム５０を回転させると、切欠溝５６と下死点ストッパ５５とが当接して回転カム５０の回転が禁止される構成となっている。これにより、回転カム５０の回転角度を成形位置を越えない範囲に制限することができる。
【００４０】
上下スライダ６０は、下型４０のスライド面４０ｄと回転カム５０との間に配置されている。この上下スライダ６０は、回転カム５０側に下方へ突出形成された凸部６１と、下型４０のスライド面４０ｄに対してスライド可能に設けられたスライド板６２と、回転カム５０の被当接面５２に当接可能な当接板６３とを備えている。また、この上下スライダ６０は、リターンスプリング６４によって初期位置（図１に示される位置）に付勢されている。そして、上下スライダ６０は、第１の吊りカム２０に押圧されて下方へスライドすることにより、当接板６３を回転カム５０の被当接面５２に当接させて、パネルＷの成形中に回転カム５０の回転を禁止するようになっている。本実施形態の上下スライダ６０が、本発明の「回転規制部材」に相当する。なお、本実施形態において、上下スライダ６０は、図３に示すように、回転カム５０の軸方向両端より内側に二つ配置されている。このように、軸方向両端より内側から回転カム５０の回転を禁止することにより、軸方向両端の外側から回転カム５０の回転を禁止する場合に比べ、回転カム５０の回転を容易かつ確実に禁止することができ、回転カム５０の撓みを効果的に抑制することができる。
【００４１】
当接板６３は、平面形状をなしており、回転カム５０の被当接面５２と面接触可能に設けられている。また、当接板６３は、回転カム５０のトリガ５３と干渉しないように、トリガ５３の両側に一つずつ、すなわち二つの板６３ａ，６３ｂが一組となって配置されている。なお、本実施形態の当接板６３が、本発明の「当接部」に相当する。
スライド板６２は、下型４０に備わるスライド面４０ｄに対してスライド可能な複数の板部材６２ａ〜６２ｃから構成されている。
【００４２】
次に、上記構成を有するプレス装置１０の動作について、図１、図４〜図７を参照しながら説明する。図４は、同プレス装置に備わる回転カムを成形位置へ回転させた状態を示す説明図である。図５は、同プレス装置に備わる上型を下死点まで降下させた状態を示す説明図である。図６は、同プレス装置に備わる回転カムを初期位置へ回転させた状態を示す説明図である。図７は、同プレス装置に備わる上型を上死点まで上昇させた状態を示す説明図である。
【００４３】
このプレス装置１０では、上型１１を上下へ一往復させることによりパネルＷの成形が完了する。
まず、図１に示すように、成形対象となるパネルＷを、下型４０に設けられたポンチ４１の支持面４１ａにセットする。その後、上型１１を下降させていく。上型１１の下降に伴って、シリンダ５７は、往復部５７ａを右方向へ移動させる。そして、図４に示すように、切欠溝５６が下死点ストッパ５５に当接すると、回転カム５０が成形位置に到着する。回転カム５０が成形位置に到着すると、回転カム５０の支持部５１ａは、パネルＷの左端部Ｗａを支持する。
【００４４】
第１の吊りカム２０は、上型１１の下降に伴って下降し、押圧板２４により上下スライダ６０の上面を下方へ押圧する。下方へ押圧された上下スライダ６０は、下型４０のスライド面４０ｄに対してスライド板６２をスライドさせながら下降する。ここで、本実施形態では、上下スライダ６０の下端に凸部６１が形成され、回転カム５０の被当接面５２の下端にトリガ５３が形成されているため、たとえシリンダ５７の故障等により回転カム５０が成形位置まで回転していない場合であっても、上下スライダ６０の下降に伴って凸部６１がトリガ５３を下方へ押圧して回転カム５０を成形位置へと回転させることができる。
【００４５】
上下スライダ６０が下降していくと、上下スライダ６０の当接板６３は、回転カム５０の被当接面５２に当接する。ここで、本実施形態では、当接板６３と被当接面５２とが、平面形状をなしており、面接触して当接する。このように当接板６３と被当接面５２とを面接触させることにより、上下スライダ６０で回転カム５０の回転を容易かつ確実に禁止することがきる。なお、当接板６３の面積を大きく設定することで、当接板６３と被当接面５２との接触面積を増加させて、回転カム５０の回転をより確実に禁止することができる。
【００４６】
そして、上型１１がさらに下降していくと、図５に示すように、パッド１２は、パネルＷの成形が開始される前に、押さえ面１２ａにより、ポンチ４１の支持面４１ａに支持されたパネルＷを上方から押さえて固定する。これにより、成形中にパネルＷが位置ずれするのを防止することができる。その後、第１の吊りカム２０は、スライド板２３を下型４０のスライド面４０ｂにスライドさせるとともに、スライド板２２をスライド面５１ｂにスライドさせる。このように、下型４０及びＵ字溝５１に沿って第１の吊りカム２０をスライドさせることにより、第１の吊りカム２０の成形部２０ａをパネルＷの左端部Ｗａへと確実に導くことができる。そして、回転カム５０のＵ字溝５１に挿入された成形部２０ａは、パネルＷの左端部Ｗａを回転カム５０の支持部５１ａへ押し付けて成形する。このとき、回転カム５０の支持部５１ａがパネルＷの左端部Ｗａ内側に入り込むため、パネルＷの左端部Ｗａは負角部となる。
【００４７】
プレス装置１０は、パネルＷの成形が終了すると、図６に示すように、上型１１を上昇させる。上型１１を上昇させると、吊りカム２０がＵ字溝５１から退出していく。これに伴って、上下スライダ６０は、リターンスプリング６４の付勢力により上方へ移動する。上下スライダ６０が上方へ移動すると、上下スライダ６０の当接板６３が回転カム５０の被当接面５２から離間して、回転カム５０の回転が許可される。シリンダ５７は、往復部５７ａを左方へ移動させて、回転カム４０を戻り方向（図において右回り）へ回転させ、初期位置へと復帰させる。これにより、回転カム５０の支持部５１ａが左端部Ｗａから外れる。
【００４８】
このプレス装置１０では、パネルＷの成形後にリターンスプリング６４によって上下スライダ６０を初期位置へ戻すことにより、パネルＷの成形後に速やかに回転カム５０の回転を許可することができる。これにより、回転カム５０の戻りを早めることができるため、パネルＷを取り外す際、回転カム５０とパネルＷとが干渉するのを回避することができる。その結果、パネルＷの取出開始時期を早めて、生産効率をより高めることができる。
【００４９】
上型１１を初期位置（図１参照）まで上昇させると、図７に示すように、第１の吊りカム２０は、リターンスプリング２５により初期位置までスライドする。このように、リターンスプリング２５によって第１の吊りカム２０を初期位置へ戻すことにより、パネルＷの取出時に第１の吊りカム２０がパネルＷや回転カム５０と干渉するのを防止することができる。その結果、パネルＷの取出開始時期を早めて、生産効率をさらに高めることができる。
【００５０】
続いて、第２の吊りカム３０の動作について説明する。第２の吊りカム３０は、図４に示すように、上型１１の下降に伴って、スライド板３４を下型４０のスライド面４０ｃにスライドさせるとともに、先行押さえ部３２でサブリフタ４２のリフト部４２ａを下方へ押圧する。そして、上型１１がさらに下降すると、図５に示すように、支持部３０ａによりパネルＷの右端部Ｗｂをポンチ４１の右側端面４１ｂに押し付けて成形する。
【００５１】
そして、パネルＷの成形後、図６に示すように、上型１１を上昇させると、第２の吊りカム３０も上昇する。これに伴って、サブリフタ４２は、リフト部４２を上昇させる。そして、上型１１がさらに上昇していくと、図７に示すように、サブリフタ４２のリフト部４２ａが初期位置まで復帰する。このとき、リフト部４２ａは、成形されて屈曲したパネルＷの右端部Ｗｂを上方へ押し上げる。これにより、パネルＷを、ポンチ４１の支持部４１ａから取り外すことができる。
【００５２】
以上、詳細に説明したように本実施形態に係るプレス装置１０によれば、成形対象となるパネルＷが、回転カム５０に備わる支持部５１ａにより支持され、第１の吊りカム２０に備わる成形部２０ａにより成形される。これにより、パネルＷに対して、成形後に取り外しが困難となる負角部の加工等を容易に行うことができる。また、このプレス装置１０では、上下スライダ６０が第１の吊りカム２０に押圧され、上下スライダ６０の当接板６３が回転カム５０に当接して、パネルＷの成形中に回転カム５０の回転が禁止される。このように、パネルＷの成形中に回転カム５０の回転を禁止することにより、パネルＷの成形不良を防止して、パネルＷを高品質に成形することができる。さらに、このプレス装置１０では、回転カム５０の成形位置への規制が、下型４０にスライド可能に設けられた上下スライダ６０により行われる。これにより、回転カム５０に、従来技術で述べたスライド板（図１０の符号１０５参照）を設ける必要がない。すなわち、スライド板（図１０の符号１０５参照）と第１の吊りカム２０との干渉の問題を解消して、回転カム５０の戻りを早くすることができる。その結果、成形後にパネルＷの取出開始時期を早めて、生産効率を高めることができる。
【００５３】
また、このプレス装置１０によると、回転カム５０の戻りを早くすることで、第１の吊りカム２０により成形した左端部Ｗａと第２の吊りカム３０により成形した右端部Ｗｂとの間における取り外しタイミングの調整を容易に行うことができる。これにより、パネルＷの成形をより効率的に行うことができ、生産効率をより高めることができる。また、負角部に成形されたパネルＷの左端部Ｗａが回転カム５０と干渉したままが取り外される状況を回避できるため、取り外し時におけるパネルＷの変形を確実に防止することができる。その結果、パネルＷの成形をより高品質に行うことができる。
【００５４】
次に、本実施形態に係るプレス装置１０の変更例について、図８を参照しながら説明する。図８は、変更例に係るプレス装置に備わる上下スライダを示す拡大平面図である。この変更例に係るプレス装置は、例えば車両のトランクなどに用いられる広範な面積を有するパネルを成形するものである。なお、上記実施形態と同一の構成部品については、同一符号を付してその説明を省略し、以下では相違点を中心に説明する。
【００５５】
変更例に係るプレス装置は、回転カムの形状及び上下スライダの配置において、上記実施形態と相違する。
図８に示すように、回転カム８０には、軸方向における両端及び中央位置の３箇所に、上下スライダ６０の当接板６３（６３ａ，６３ｂ）に当接される被当接面８１が形成されている。
下型７０には、軸方向における両端及び中央位置の３箇所に、上下スライダ６０のスライド板６２（６２ａ〜６２ｃ）をスライドさせるスライド面７１が形成されている。
そして、上下スライダ６０は、軸方向における両端及び中央位置の３箇所に配置されている。各上下スライダ６０は、スライド板６２（６２ａ〜６２ｃ）を下型７０のスライド面７１にスライドさせるとともに、各当接板６３（６３ａ，６３ｂ）を回転カムの被当接面８１に当接させている。
【００５６】
このように、上下スライダ６０の設置数を増やすことにより、回転カム６０の回転をより確実に規制することができる。これにより、板状素材をより高品質に成形することができる。また、このプレス装置では、回転カム８０の軸方向における両端及び中央位置の３箇所にて、上下スライダ６０の当接板６３（６３ａ，６３ｂ）を当接させるため、軸方向に長く形成された回転カム５０の撓みを防止することができる。その結果、広範な面積を有するパネルを成形する場合にも、高品質に成形することができる。
【００５７】
なお、上記した実施形態及びその変更例は単なる例示にすぎず、本発明を何ら限定するものではなく、その要旨を逸脱しない範囲内で種々の改良、変形が可能であることはもちろんである。以下にその例を示す。
【００５８】
上記した実施形態では、車両のアウター部品に用いられる湾曲したパネルＷの左右端部Ｗａ，Ｗｂを成形するプレス装置１０に対して本発明を適用したが、これに限られず、回転カムを用いて板状素材の成形を行うプレス装置に広く本発明を適用することができる。
【００５９】
上記した実施形態では、二つの吊りカム２０，３０によりパネルＷを成形するプレス装置１０に本発明を適用した場合について説明したが、これに限られず、一又は三以上の吊りカムによりパネルＷを成形するプレス装置に本発明を適用することができる。
【００６０】
上記した実施形態では、一つの回転カム５０を備えたプレス装置１０に本発明を適用した場合について説明したが、これに限られず、複数の回転カムを備えたプレス装置に本発明を適用することができる。
【００６１】
上記した実施形態では、昇降可能に設けられた上型１１と、基台に固定された下型４０とを備えたプレス装置に本発明を適用した場合について説明したが、これに限られず、上型が固定されて下型が昇降可能なプレス装置、あるいは上型と下型との双方が移動可能なプレス装置に本発明を適用することができる。
【００６２】
上記した実施形態では、サブリフタ４２のリフト部４２ａをバネにより初期位置へ付勢しているが、シリンダ等によりリフト部４２ａを移動させてもよい。
【００６３】
上記した実施形態では、シリンダ５７により回転カム５０を回転させているが、バネ等により回転カム５０を初期位置へ付勢するようにしてもよい。
【００６４】
上記した実施形態では、リターンスプリング６４により上下スライダ６０を初期位置へ付勢しているが、シリンダ等により上下スライダ６０を移動させてもよい。
【符号の説明】
【００６５】
１０    プレス装置
１１    上型
２０    第１吊りカム
２０ａ  成形部
２１    スライド板
２２    スライド板
２３    スライド板
２４    押圧板
２５    リターンスプリング（第２復帰手段）
４０    下型
４０ａ  カム溝
４０ｂ  スライド面
４０ｄ  スライド面
５０    回転カム
５１    Ｕ字溝
５１ａ  支持部
５１ｂ  スライド面
５２    被当接面（被当接部）
５５    下死点ストッパ（角度制限手段）
５６    切欠溝（角度制限手段）
５７    シリンダ（回転手段）
６０    上下スライダ（回転規制部材）
６１    凸部
６２    スライド板（下型）
６３    当接板（当接部）
６４    リターンスプリング（第１復帰手段）
Ｗ    パネル
Ｗａ  左端部（負角部）
Ｗｂ  右端部
【図１】
2010207891.tif 000003
【図２】
2010207891.tif 000004
【図３】
2010207891.tif 000005
【図４】
2010207891.tif 000006
【図５】
2010207891.tif 000007
【図６】
2010207891.tif 000008
【図７】
2010207891.tif 000009
【図８】
2010207891.tif 000010
【図９】
2010207891.tif 000011
【図１０】
2010207891.tif 000012